(57)【要約】【課題】複数のＯＬＥＤ同士の電気接続を容易に行うことが可能で、かつＯＬＥＤを均一発光可能な発光パネル及び照明器具を提供する。【解決手段】実施形態によれば、第１電極と、第２電極と、有機層と、封止部材と、封止体と、を含む発光パネルが提供される。前記第１電極は、前記封止体の外部に導出する。前記第１電極は、前記基板の周縁部に設けられる複数の第１導電部分を有する。前記第２電極は、前記封止体の外部に導出する。前記第２電極は、前記基板の周縁部に設けられる複数の第２導電部分を有する。前記複数の第１導電部分は、複数の第１端子を有する第１電極パッドと接続される。前記複数の第２導電部分は、複数の第２端子を有する第２電極パッドと接続される。【選択図】図１
2015185241.tif 000002
【特許請求の範囲】
【請求項１】
基板上に、第１電極と、第２電極と、前記第１電極と前記第２電極との間に設けられ発光層を有する有機層と、前記基板と対向配置される封止部材と、前記基板と前記封止部材の間に設けられ、前記有機層を封止する封止体と、
を備え、
前記第１電極は前記封止体の外部に導出し、前記基板の周縁部に設けられる複数の第１導電部分を有し、
前記第２電極は前記封止体の外部に導出し、前記基板の周縁部に設けられる複数の第２導電部分を有し、
前記複数の第１導電部分は複数の第１端子を有する第１電極パッドと接続され、
前記複数の第２導電部分は複数の第２端子を有する第２電極パッドと接続されている発光パネル。
【請求項２】
前記基板は多角形状であり、前記第１、第２導電部分は前記基板の各辺に設けられ、前記第１、第２端子は前記基板の辺のうちの２以上に設けられている請求項１記載の発光パネル。
【請求項３】
前記複数の第１導電部分および前記複数の第２導電部分は絶縁部材によって電気的に分離されており、前記複数の第１導電部分は第１電気接続部により電気的に接続され、前記複数の第２導電部分は第２電気接続部により電気的に接続されている請求項２記載の発光パネル。
【請求項４】
請求項１〜３の何れか一に記載の発光パネルを複数配置し、
前記第１端子および前記第２端子によって前記複数の発光パネルが電気的に接続される照明器具。
【発明の詳細な説明】
【技術分野】
【０００１】
本発明の実施形態は、発光パネル及び照明器具に関する。
【背景技術】
【０００２】
例えば、ＯＬＥＤ（Organic Light Emitting Diode）を光源として用いた照明器具がある。ＯＬＥＤは、現時点で大型のパネルは作成が困難であるため、パネルを複数並べて大型化することが一般的である。しかし、ＯＬＥＤの電極パッドは通常一カ所であるため、パネルの配置方向に制限が生じ、結線が困難となる場合がある。
【先行技術文献】
【特許文献】
【０００３】
【特許文献１】特開２００８−１８６５９９号公報
【発明の概要】
【発明が解決しようとする課題】
【０００４】
本発明の実施形態は、複数のＯＬＥＤ同士の電気接続を容易に行うことが可能で、かつＯＬＥＤを均一発光可能な発光パネル及び照明器具を提供する。
【課題を解決するための手段】
【０００５】
本発明の実施形態によれば、第１電極と、第２電極と、有機層と、封止部材と、封止体と、を含む発光パネルが提供される。前記第１電極と、前記第２電極と、前記有機層とは、基板上に設けられる。前記有機層は、発光層を有する。前記有機層は、前記第１電極と前記第２電極との間に設けられる。前記封止部材は、前記基板と対向配置される。前記封止体は、前記基板と前記封止部材の間に設けられる。前記封止体は、前記有機層を封止する。前記第１電極は、前記封止体の外部に導出する。前記第１電極は、前記基板の周縁部に設けられる複数の第１導電部分を有する。前記第２電極は、前記封止体の外部に導出する。前記第２電極は、前記基板の周縁部に設けられる複数の第２導電部分を有する。前記複数の第１導電部分は、複数の第１端子を有する第１電極パッドと接続される。前記複数の第２導電部分は、複数の第２端子を有する第２電極パッドと接続される。
【発明の効果】
【０００６】
本発明の実施形態によれば、複数のＯＬＥＤ同士の電気接続を容易に行うことが可能で、かつＯＬＥＤを均一発光可能な発光パネル及び照明器具が提供される。
【図面の簡単な説明】
【０００７】
【図１】図１（ａ）〜図１（ｃ）は、第１の実施形態に係る発光パネルを示す模式図である。
【図２】第１の実施形態に係る照明器具の一部を示す模式図である。
【図３】第１の実施形態に係る照明器具を示す模式図である。
【図４】第２の実施形態に係る照明器具の一部を示す模式図である。
【図５】第３の実施形態に係る照明器具の一部を示す模式図である。
【発明を実施するための形態】
【０００８】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００９】
（第１の実施形態）
図１（ａ）〜図１（ｃ）は、第１の実施形態に係る発光パネルを例示する模式図である。
図２は、第１の実施形態に係る照明器具を例示する模式図である。
【００１０】
図１（ａ）は、発光パネル１０の模式的断面図である。図１（ｂ）は、発光パネル１０の模式的平面図である。図１（ｃ）は、発光パネル１０の模式的平面図である。図１（ａ）は、図１（ｂ）及び図１（ｃ）のＡ１−Ａ２線断面図である。
【００１１】
図１（ａ）に表されるように、発光パネル１０には、基板２０、第１電極２１、第２電極２２、有機層３０、封止部材２４、封止体２５、及び、絶縁膜２６が設けられる。有機層３０は、発光層３２を含む。
【００１２】
発光パネル１０において、基板２０から封止部材２４へ向かう方向をＺ軸方向とする。Ｚ軸方向に対して垂直な１つの方向をＸ軸方向とする。Ｚ軸方向に対して垂直で、Ｘ軸方向に対して垂直な方向をＹ軸方向とする。
【００１３】
基板２０は、第１面２０ａ及び第２面２０ｂを有する。第２面２０ｂは、第１面２０ａとは反対側の面である。封止部材２４は、第１面２４ａ及び第２面２４ｂを有する。第２面２４ｂは、第１面２４ａとは反対側の面である。基板２０の第１面２０ａは、封止部材２４の第１面２４ａと対向している。例えば、第１面２０ａ、２４ａと、第２面２０ｂ及び２４ｂの形状は、四角形である。
【００１４】
例えば、基板２０の上に、第２電極２２が設けられる。第２電極２２と基板２０との間に、第１電極２１が設けられる。有機層３０は、第１電極２１と第２電極２２との間に設けられる。有機層３０の側面と第２電極２２との間、及び、第１電極２１の端部と第２電極２２との間には、絶縁膜２６が設けられる。
【００１５】
基板２０の上に、封止部材２４が設けられている。基板２０と封止部材２４との間に、封止体２５が設けられる。封止体２５は、基板２０と封止部材２４との間の領域の周囲において、連続して設けられる。
【００１６】
基板２０は、例えば、光透過性である。基板２０は、例えば、透明基板である。例えば、基板２０として、ガラス基板が用いられる。基板２０には、例えば、透明樹脂基板（例えば透明プラスチック基板など）が用いられる。
【００１７】
第１電極２１は、光透過性である。第１電極２１は、例えば、透明電極である。例えば、第１電極２１には、ＩＴＯ（Indium Tin Oxide）、ＩＺＯ（Indium Zinc Oxide）または導電性高分子などが用いられる。第１電極２１は、例えば、陽極である。
【００１８】
第２電極２２の光透過率は、例えば、基板２０の光透過率よりも低い。第２電極２２の光透過率は、例えば、第１電極２１の光透過率よりも低い。第２電極２２は、例えば、光反射性である。例えば、第２電極２２には、銀（Ａｇ）膜またはアルミニウム（Ａｌ）膜などが用いられる。第２電極２２の厚さは、例えば、３０ｎｍ以上である。第２電極２２は、例えば、陰極である。
【００１９】
有機層３０には、例えば、正孔輸送層３１と、発光層３２と、電子輸送層３３と、が設けられている。例えば、第１電極２１の上に正孔輸送層３１が設けられる。正孔輸送層３１の上に発光層３２が設けられる。発光層３２の上に電子輸送層３３が設けられる。例えば、第２電極２２は、基板２０の表面の一部の上にも設けられる。第２電極２２は、基板２０の表面と有機層３０の上面との間の段差を覆うように連続して設けられる。
【００２０】
発光パネル１０においては、例えば、第２電極２２から、電子輸送層３３を介して、発光層３２へ電子が注入される。例えば、第１電極２１から、正孔輸送層３１を介して、発光層３２へ正孔が注入される。発光層３２において、注入された電子と注入された正孔とが、再結合する。再結合に伴って、発光層３２から光が放出される。
【００２１】
この例では、第２電極２２は、発光層３２から放出された光を実質的に透過させない厚さを有している。例えば、第２電極２２は、光に対して高い反射性を有する。発光層３２から放出され、第２電極２２側に向かう光は、第２電極２２で反射して、光透過性の第１電極２１を通過する。発光パネル１０においては、発光層３２から放出された光は、基板２０側から取り出される。
【００２２】
封止部材２４は、例えば、光透過性である。例えば、封止部材２４は、有機層３０から出射する光を透過させる。封止部材２４として、ガラス基板及び透明樹脂の少なくともいずれかが用いられる。実施形態において、封止部材２４は、非光透過性でも良い。封止体２５には、例えば、樹脂が用いられる。
【００２３】
図１（ｂ）に表されるように、発光パネル１０の中央部１０ｃには、発光素子である有機層３０等が設けられている。発光パネル１０の第１電極２１は、その複数の第１導電部分２１ｐが封止部材２４、封止体２５の外側に導出されている。第２電極２２は、その複数の第２導電部分２２ｐが封止部材２４の外側に導出されている。複数の第１導電部分２１ｐ及び複数の第２導電部分２２ｐは、発光パネル１０の周縁部１０ｓに設けられている。複数の第１導電部分２１ｐ及び複数の第２導電部分２２ｐは、例えば、多角形の基板２０の各辺の周縁部に設けられている。基板２０が四角形の場合、第１導電部分２１ｐおよび第２導電部分２２ｐは、４辺に周縁部に沿ってそれぞれ設けられている。
【００２４】
複数の第１導電部分２１ｐの各々は、例えば、絶縁部材である絶縁膜２６によって複数の第２導電部分２２ｐの各々と絶縁されている。つまり、複数の第１導電部分２１ｐおよび複数の第２導電部分２２ｐは、絶縁膜２６によって電気的に分離されている。例えば、絶縁膜２６によって絶縁された第１電極２１及び第２電極２２が周縁部１０ｓに形成されている。
【００２５】
基板２０の周縁部に第１電極２１及び第２電極２２を形成する膜等をパターニングし、複数の第１導電部分２１ｐ及び複数の第２導電部分２２ｐが周縁部１０ｓに形成される。
【００２６】
図１（ｃ）に表されるように、電気的接続に用いられる第１電極パッド２１ｄは、第１端子２１ｄ１と第１電気接続部２１ｄ２で構成されている。電気的接続に用いられる第２電極パッド２２ｄは、第２端子２２ｄ１と第２電気接続部２２ｄ２で構成されている。第１電極パッド２１ｄ及び第２電極パッド２２ｄは、周縁部１０ｓに沿って配置される。例えば、第１端子２１ｄ１と第２端子２２ｄ１は、基板２０の各辺に形成される。例えば、基板２０の各辺の中央付近に、第１電極２１に対応する第１端子２１ｄ１と、第２電極２２に対応する第２端子２２ｄ１と、が配置される。第１電気接続部２１ｄ２は、複数の第１導電部分２１ｐおよび絶縁膜２６上に設けられる。第２電気接続部２２ｄ２は、複数の第２導電部分２２ｐおよび絶縁膜２６上に設けられる。第１電気接続部２１ｄ２も第２電気接続部２２ｄ２も周縁部１０ｓに沿って形成されているが、第１電気接続部２１ｄ２は第２電気接続部２２ｄ２の外側に位置するように設けられる。基板が四角形の場合、四角形状の第１電気接続部２１ｄ２の内側に、四角形状の第２電気接続部２２ｄ２が所定の間隔を空けて配置される。
【００２７】
第１電極パッド２１ｄ及び第２電極パッド２２ｄは、基板、点灯回路、及び電極パッド等と配線によって電気的に接続される。第１電極パッド２１ｄ及び第２電極パッド２２ｄは、第１電極及び第２電極にそれぞれ導通する。
【００２８】
均一に発光するために、各電極は発光パネル内に複数箇所に形成されている。従来、各箇所を一括給電できるように、配線基板等を用いて配線をして１つにまとめた電極パッドが１箇所に形成される。
【００２９】
電極パッドが１箇所に形成されている場合、複数の発光パネル１０を用いて平面的に配置する（タイリングする）際に、発光パネル１０を配置する方向が限定され易い。複数の発光パネル１０の配置関係によって、複数の発光パネル１０を電気的に接続する配線が長くなる場合がある。複数の発光パネル１０を電気的に接続するために、配線を迂回して形成する場合がある。
【００３０】
本実施形態において、発光パネル１０の周縁部１０ｓに第１端子２１ｄ１及び第２端子２２ｄ１を形成する。第１端子２１ｄ１及び第２端子２２ｄ１は、基板２０の各辺に形成されるので、複数の発光パネル１０を用いて平面的に配置する場合、互いに近い端子を用いて複数の発光パネル１０が電気的に接続される。複数の発光パネル１０を電気的に接続するために、配線を迂回して形成する必要性が軽減される。配線を迂回して形成する必要性が軽減されるので結線に対する張力が軽減する。結線の切断が抑制される。結線が外れることを抑制できる。
【００３１】
発光パネル１０に複数の第１導電部分２１ｐ及び複数の第２導電部分２２ｐがそれぞれ複数設けられ、各々が第１電極パッド２１ｄ及び第２電極パッド２２ｄに接続されているので、発光パネル１０における電圧降下を抑制することができる。発光パネル１０をより均一に発光させて輝度のばらつきを低減することができる。
【００３２】
図２は、第１の実施形態に係る照明器具の一部を示す模式図である。
図２に表されるように、発光装置１５は、発光パネル１０と、カバー部１１と、を含む。
【００３３】
カバー部１１は、発光パネル１０の周縁部１０ｓを覆う。カバー部１１は、第１端子２１ｄ１及び第２端子２２ｄ１を挿通するための溝部１２を有する。
【００３４】
カバー部１１は、例えば、ＡＢＳ樹脂、アクリル樹脂、ポリスチレン樹脂等のプラスチック材料、又は、表面に絶縁処理が施されたアルミニウム等の金属材料より形成される。例えば、カバー部１１は、その中央部が開口した枠形状を有する。
【００３５】
カバー部１１の溝部１２から挿通された第１端子２１ｄ１及び第２端子２２ｄ１は、発光パネル１０の周縁部１０ｓに形成されている。複数の発光パネル１０が容易に配置される。
【００３６】
図３に表されるように、照明器具１００は、平面的に配置された複数の発光パネル１０を含む。本実施形態において、発光パネル１０は図２の発光パネルであり、隣接する発光パネル１０の第１端子２１ｄ１と第２端子２２ｄ１を電気接続していくことで、発光パネル１０同士を直列接続でき、容易に大型化が可能になる。なお、電気接続に用いられない第１端子２１ｄ１、第２端子２２ｄ１も発生することになるが、図１（ｂ）及び図１（ｃ）のように、発光パネル１０に複数の第１導電部分２１ｐ及び複数の第２導電部分２２ｐが複数、すなわち周縁部１０ｓにそれぞれ設けられ、各々が第１電極パッド２１ｄ及び第２電極パッド２２ｄに接続されているので、各発光パネル１０をほぼ均一に発光させることができる。
【００３７】
本実施形態によれば、複数のＯＬＥＤ同士の電気接続を容易に行うことが可能で、かつＯＬＥＤを均一発光可能な発光パネル及び照明器具が提供される。
【００３８】
（第２の実施形態）
図４は、第２の実施形態に係る照明器具の一部を示す模式図である。
図４に表されるように、発光装置１５は、発光パネル１０と、カバー部１１と、を含む。
【００３９】
カバー部１１は、発光パネル１０の周縁部１０ｓを覆う。カバー部１１は、第１端子２１ｄ１及び第２端子２２ｄ１を挿通するための溝部１２を有する。
【００４０】
カバー部１１の溝部１２から挿通された第１端子２１ｄ１及び第２端子２２ｄ１は、発光パネル１０の角部１０ｅ付近に（例えば、Ｙ軸方向に）並んで形成されている。
【００４１】
基板２０の角部付近に第１電極２１及び第２電極２２を形成する膜等をパターニングし、複数の第１導電部分２１ｐ及び複数の第２導電部分２２ｐが角部１０ｅ付近に（例えば、Ｙ軸方向に）並んで形成される。電気的接続に用いられる第１端子２１ｄ１は、導出された第１導電部分２１ｐの各々に設けられる。電気的接続に用いられる第２端子２２ｄ１は、導出された第２導電部分２２ｐの各々に設けられる。
【００４２】
カバー部１１の溝部１２から挿通された第１端子２１ｄ１及び第２端子２２ｄ１は、発光パネル１０の角部１０ｅ付近に（例えば、Ｙ軸方向に）並んで配置されている。複数の発光パネル１０が容易に配置される。
【００４３】
本実施形態によれば、複数のＯＬＥＤ同士の電気接続を容易に行うことが可能で、かつＯＬＥＤを均一発光可能な発光パネル及び照明器具が提供される。
【００４４】
（第３の実施形態）
図５は、第３の実施形態に係る照明器具の一部を示す模式図である。
図５に表されるように、発光装置１５は、発光パネル１０と、カバー部１１と、を含む。
【００４５】
カバー部１１は、発光パネル１０の周縁部１０ｓを覆う。カバー部１１は、第１端子２１ｄ１及び第２端子２２ｄ１を挿通するための溝部１２を有する。
【００４６】
カバー部１１の溝部１２から挿通された第１端子２１ｄ１及び第２端子２２ｄ１は、発光パネル１０の角部１０ｅ付近に離れて形成されている。
【００４７】
基板２０の角部付近に第１電極２１及び第２電極２２を形成する膜等をパターニングし、複数の第１導電部分２１ｐ及び複数の第２導電部分２２ｐが角部１０ｅ付近に互いに離れて形成される。電気的接続に用いられる第１端子２１ｄ１は、導出された第１導電部分２１ｐの各々に設けられる。電気的接続に用いられる第２端子２２ｄ１は、導出された第２導電部分２２ｐの各々に設けられる。
【００４８】
カバー部１１の溝部１２から挿通された第１端子２１ｄ１及び第２端子２２ｄ１は、発光パネル１０の角部１０ｅ付近に互いに離れて配置されている。複数の発光パネル１０が容易に配置される。
【００４９】
本実施形態によれば、複数のＯＬＥＤ同士の電気接続を容易に行うことが可能で、かつＯＬＥＤを均一発光可能な発光パネル及び照明器具が提供される。
【００５０】
以上、具体例を参照しつつ、本発明の実施の形態について説明した。しかし、本発明は、これらの具体例に限定されるものではない。例えば、照明器具に含まれる発光装置、発光パネル、基板、発光層、及び有機層などの各要素の具体的な構成に関しては、当業者が公知の範囲から適宜選択することにより本発明を同様に実施し、同様の効果を得ることができる限り、本発明の範囲に包含される。
【００５１】
また、各具体例のいずれか２つ以上の要素を技術的に可能な範囲で組み合わせたものも、本発明の要旨を包含する限り本発明の範囲に含まれる。
【００５２】
その他、本発明の実施の形態として上述した照明器具を基にして、当業者が適宜設計変更して実施し得る全ての照明器具も、本発明の要旨を包含する限り、本発明の範囲に属する。
その他、本発明の思想の範疇において、当業者であれば、各種の変更例及び修正例に想到し得るものであり、それら変更例及び修正例についても本発明の範囲に属するものと了解される。
【００５３】
本発明のいくつかの実施形態を説明したが、これらの実施形態は、例として提示したものであり、発明の範囲を限定することは意図していない。例えば、基板は四角形に限らず、六角形や八角形などの多角形状であっても良い。つまり、発光パネルも多角形状であっても良い。また、第１、第２端子は、基板の各辺に設けられる必要はなく、少なくとも２つ以上の辺に設けられていればよい。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１０…発光パネル、  １０ｃ…中央部、  １０ｅ…角部、  １０ｓ…周縁部、  １１…カバー部、  １２…溝部、  ２０…基板、  ２０ａ…第１面、  ２０ｂ…第２面、  ２１…第１電極、  ２１ｄ…第１電極パッド、  ２１ｄ１…第１端子、  ２１ｄ２…第１電気接続部、  ２１ｐ…第１導電部分、    ２２…第２電極、  ２２ｄ…第２電極パッド、  ２２ｄ１…第２端子、  ２２ｄ２…第２電気接続部、  ２２ｐ…第２導電部分、  ２４…封止部材、  ２４ａ…第１面、  ２４ｂ…第２面、  ２５…封止体、  ２６…絶縁膜、  ３０…有機層、  ３１…正孔輸送層、  ３２…発光層、  ３３…電子輸送層、  ４０…点灯回路、  １００…照明器具
【図１】
2015185241.tif 000003
【図２】
2015185241.tif 000004
【図３】
2015185241.tif 000005
【図４】
2015185241.tif 000006
【図５】
2015185241.tif 000007